(57)【要約】【課題】端子台本体を成型するための金型を小型化でき且つ強度に優れた中継端子台を提供する。【解決手段】端子ボルト２０が螺着される矩形平板状の導電板１０上面を一方側と他方側とに仕切るスペーサ４０が、導電板１０が載置される台座部３１及び台座部３１を挟んで両側に立設された一対の側壁部３２，３２を絶縁性材料により一体的に形成してなる端子台本体３０とは別体で絶縁性材料によりブロック状に形成され、台座部３１に載置された導電板１０の中央部上方で一対の側壁部３２，３２間に架設される構造であるので、端子台本体３０の成型に使用する金型を小型化できると共に、金型のスライド方向が２方向（上下方向）のみとなって成型が容易となり、大型の中継端子台を実現することが可能となる。【選択図】図１
2008181820.tif 000002
【特許請求の範囲】
【請求項１】
複数の電気機器間の電気配線を中継する中継端子台であって、
端子ネジが螺着される矩形平板状の導電板と、
その導電板が載置される台座部及びその台座部を挟んで両側に立設された一対の側壁部を絶縁性材料により一体的に形成してなる端子台本体と、
その端子台本体とは別体で絶縁性材料によりブロック状に形成されると共に、前記台座部に載置された前記導電板の中央部上方で前記一対の側壁部間に架設されて、前記導電板上面を一方側と他方側とに仕切る隔壁部材と、
その隔壁部材が前記一対の側壁部間に架設された状態でこれらを連結する連結部材と
を備えたことを特徴とする中継端子台。
【請求項２】
前記隔壁部材は、その下面が前記導電板の上面に当接する状態で前記一対の側壁部間に架設されることを特徴とする請求項１に記載の中継端子台。
【請求項３】
前記連結部材は、前記一対の側壁部と前記隔壁部材とを貫通し連結するシャフトであることを特徴とする請求項１又は２に記載の中継端子台。
【請求項４】
前記隔壁部材は、両端に係合部がそれぞれ設けられ、
前記一対の側壁部は、互いに対向する内側面に前記隔壁部材の前記各係合部と係合可能な被係合部がそれぞれ設けられたことを特徴とする請求項１乃至３のいずれかに記載の中継端子台。
【請求項５】
前記端子ネジは、サイズ規格がＭ１２以上であることを特徴とする請求項１乃至４のいずれかに記載の端子台。
【発明の詳細な説明】
【技術分野】
【０００１】
本発明は、複数の電気機器間の電気配線を中継する中継端子台に関する。
【背景技術】
【０００２】
従来より、複数の電気機器間の電気配線を中継する中継端子台が実用に供されている（例えば、特許文献１参照。）。ここで、中継端子台の従来例について図を参照しつつ説明する。従来の中継端子台１０１は、図８に示すように、金属製の導電板１１０と、２本の端子ボルト１２０と、絶縁性の端子台本体１１０とから構成される。端子台本体１３０は、絶縁性の合成樹脂を金型により成型したものであって、導電板１１０が載置される台座部１３１と、台座部１３１を挟んで左右両側に立設された側壁部１３２，１３２と、左右の側壁部１３２，１３２間に架設された隔壁部１３３とが一体的に形成されている。また、隔壁部１３３と台座部１３１上面との間には、導電板１１０の断面サイズよりも僅かに大きい矩形状の開口断面を有し前後方向に貫通する開口部１３４が形成され、導電板１１０は、前後方向中間部を開口部１３４に挿通した状態で台座部１３１上面に載置される。
【特許文献１】特開２００４−１３４２４０号公報
【発明の開示】
【発明が解決しようとする課題】
【０００３】
しかしながら、上述した従来の中継端子台１０１では、端子台本体１３０が合成樹脂の一体型成型により作製されるものであり、成型時に反りが発生しやすいという問題や、隔壁部１３３と台座部１３１上面との間に前後に貫通する開口部１３４を形成するために、成型時に金型を４方向（上下及び前後）にスライドさせる必要があり、金型のサイズが大型化して扱いが容易でないという問題があった。特に、端子台を大型化しようとした場合、金型のスライド距離が長くなり過ぎるため、製品化が困難であるという問題があった。
【０００４】
本発明は上述した問題点に鑑みてなされたものであり、端子台本体を成型するための金型を小型化でき且つ強度に優れた中継端子台を提供することを目的とする。
【課題を解決するための手段】
【０００５】
以下、上記課題を解決するのに適した各手段につき、必要に応じて作用効果等を付記しつつ説明する。
【０００６】
１．複数の電気機器間の電気配線を中継する中継端子台であって、
端子ネジが螺着される矩形平板状の導電板と、
その導電板が載置される台座部及びその台座部を挟んで両側に立設された一対の側壁部を絶縁性材料により一体的に形成してなる端子台本体と、
その端子台本体とは別体で絶縁性材料によりブロック状に形成されると共に、前記台座部に載置された前記導電板の中央部上方で前記一対の側壁部間に架設されて、前記導電板上面を一方側と他方側とに仕切る隔壁部材と、
その隔壁部材が前記一対の側壁部間に架設された状態でこれらを連結する連結部材と
を備えたことを特徴とする中継端子台。
【０００７】
手段１によれば、端子ネジが螺着される矩形平板状の導電板上面を一方側と他方側とに仕切る隔壁部材が、導電板が載置される台座部及びその台座部を挟んで両側に立設された一対の側壁部を絶縁性材料により一体的に形成してなる端子台本体とは別体で絶縁性材料によりブロック状に形成され、台座部に載置された導電板の中央部上方で一対の側壁部間に架設される構造であるので、端子台本体の成型に使用する金型を小型化できると共に、金型のスライド方向が２方向のみとなって成型が容易となり、大型の中継端子台を実現することが可能となる。また、隔壁部材が一対の側壁部間に架設された状態で連結部材によって連結されることにより、端子台本体の強度向上が図られる。従って、例えば、圧着端子付き電線の導電板への取付け又は取り外しの際に電線が左右に大きく捻られて、端子ネジによって締付けられた圧着端子に大きな衝撃が加わった場合でも、端子台本体が安定しており、歪みや割れ等が生じることがない。
【０００８】
２．前記隔壁部材は、その下面が前記導電板の上面に当接する状態で前記一対の側壁部間に架設されることを特徴とする手段１に記載の中継端子台。
【０００９】
手段２によれば、隔壁部材の下面が導電板の上面に当接する状態で一対の側壁部間に架設されるので、導電板が隔壁部材によって台座部に対して確実に固定される。
【００１０】
３．前記連結部材は、前記一対の側壁部と前記隔壁部材とを貫通し連結するシャフトであることを特徴とする手段１又は２に記載の中継端子台。
【００１１】
手段３によれば、シャフトが一対の側壁部と隔壁部材とを貫通し連結しているので、端子台本体の強度が大幅に向上され、例えば、圧着端子付き電線の導電板への取付け又は取り外しの際に電線が左右に大きく捻られて、端子ネジによって締付けられた圧着端子に大きな衝撃が加わった場合でも、端子台本体が極めて安定しており、歪みや割れ等が生じることがない。
【００１２】
４．前記隔壁部材は、両端に係合部がそれぞれ設けられ、
前記一対の側壁部は、互いに対向する内側面に前記隔壁部材の前記各係合部と係合可能な被係合部がそれぞれ設けられたことを特徴とする手段１乃至３のいずれかに記載の中継端子台。
【００１３】
手段４によれば、隔壁部材は、両端に係合部がそれぞれ設けられ、一対の側壁部は、互いに対向する内側面に隔壁部材の各係合部と係合可能な被係合部がそれぞれ設けられているので、隔壁部材を一対の側壁部に対して容易且つ確実に位置決めして架設することができる。
【００１４】
５．前記端子ネジは、サイズ規格がＭ１２以上であることを特徴とする手段１乃至４のいずれかに記載の端子台。
【００１５】
手段５によれば、サイズ規格がＭ１２以上の端子ネジを大きな締付けトルクで締付けることにより電線の圧着端子に大きな衝撃が加わった場合でも、端子台本体が安定しており、歪みや割れ等が生じることがない。
【発明の効果】
【００１６】
本発明の中継端子台によれば、端子ネジが螺着される矩形平板状の導電板上面を一方側と他方側とに仕切る隔壁部材が、導電板が載置される台座部及びその台座部を挟んで両側に立設された一対の側壁部を絶縁性材料により一体的に形成してなる端子台本体とは別体で絶縁性材料によりブロック状に形成され、台座部に載置された導電板の中央部上方で一対の側壁部間に架設される構造であるので、端子台本体の成型に使用する金型を小型化できると共に、金型のスライド方向が２方向のみとなって成型が容易となり、大型の中継端子台を実現することが可能となる。また、隔壁部材が一対の側壁部間に架設された状態で連結部材によって連結されることにより、端子台本体の強度向上が図られる。従って、例えば、圧着端子付き電線の導電板への取付け又は取り外しの際に電線が左右に大きく捻られて、端子ネジによって締付けられた圧着端子に大きな衝撃が加わった場合でも、端子台本体が安定しており、歪みや割れ等が生じることがない。
【発明を実施するための最良の形態】
【００１７】
以下、本発明の中継端子台を具体化した一実施形態について図面を参照しつつ説明する。図１は、本実施形態の中継端子台１を示す斜視図である。図２（ａ）は中継端子台１の平面図、（ｂ）は正面図、（ｃ）は右側面図である。図３は、中継端子台１を示す分解斜視図である。図４（ａ）は、端子台本体３０の平面図、（ｂ）は正面図、（ｃ）は右側面図である。図５（ａ）は、スペーサ４０の平面図、（ｂ）は正面図、（ｃ）は右側面図である。
【００１８】
中継端子台１は、複数の電気機器間の電気配線を中継するために使用される端子台であって、図１乃至３に示すように、導電板１０と、２本の端子ボルト２０と、絶縁性の端子台本体３０と、スペーサ４０と、シャフト５０と、記号板６０と、透明カバー７０とから構成される。尚、端子ボルト２０が本発明の端子ネジを、スペーサ４０が隔壁部材を、シャフト５０が連結部材をそれぞれ構成するものである。
【００１９】
導電板１０は、導電性に優れた金属（例えば、三価クロメートによる表面処理を施した黄銅）からなる矩形状の平板であり、長手方向の一方側半分の略中心及び他方側半分の略中心にネジ孔１０ａがそれぞれ１個ずつ形成されている。
【００２０】
端子ボルト２０は、導電性に優れた金属（例えば、三価クロメートによる表面処理を施した鉄）からなるボルトである。端子ボルト２０のサイズ規格は、各種のものが適用可能であるが、例えば、Ｍ１２以上でもよい。端子ボルト２０は、座金２１を介して導電板１０のネジ孔１０ａに螺合される。
【００２１】
端子台本体３０は、例えばＰＢＴ（ポリブチレンテレフタレート）等の絶縁性樹脂材料を金型により成型したものであって、図４等に示すように、導電板１０が載置される台座部３１と、台座部３１を挟んで両側に立設された一対の側壁部３２，３２とが一体成型により形成されている。
【００２２】
台座部３１は、導電板１０が載置される台状部分であり、上面部３１ａは、前後方向に長く且つ平面サイズが導電板１０よりも僅かに大きい長方形状を呈している。また、台座部３１の前方側半分の略中心と後方側半分の略中心とに、上面部３１ａに開口して端子ボルト２０の足部を収容可能な収容凹部１１ｂがそれぞれ１個ずつ形成されている。
【００２３】
側壁部３２は、高さが台座部３１の２倍程度であり、その前端及び後端は台座部３１の前端及び後端よりも所定長さ分それぞれ張り出している。また、側壁部３２の前後方向中央の内側面３２ａ上部には、スペーサ４０の後述する係合凸部４０ａに係合可能な被係合凹部３２ｃが形成され、その下方には内側面３２ａと外側面３２ｂとを貫通する貫通孔３２ｄが形成されている。さらに、側壁部３２の前後両端の上部には、透明カバー７０の前後両端の屈曲部を係止する切り欠き部３２ｅが形成されている。
【００２４】
スペーサ４０は、端子台本体３０とは別体でＰＢＴ（ポリブチレンテレフタレート）等の絶縁性樹脂材料を金型によりブロック状に成型したものである。スペーサ４０は、図５等に示すように、全体として直方体形状を呈し、左右両端には係合凸部４０ａがそれぞれ形成されると共に、その下方には長手方向に貫通するシャフト挿通孔４０ｂが形成されている。また、スペーサ４０上面の四隅には、記号板６０を保持するための爪状の保持部４０ｂがそれぞれ形成されている。そして、スペーサ４０両端の係合凸部４０ａを、端子台本体３０両側の側壁部３２内側面３２ａの被係合凹部３２ｃにそれぞれ係合させて、スペーサ４０を左右の側壁部３２間に架設した状態で、シャフト５０を右側の側壁部３２の貫通孔３２ｄからスペーサ４０のシャフト挿通孔４０ｂを通して左側の側壁部３２の貫通孔３２ｄへ挿通して先端をナット５１で締付けることによって、スペーサ４０が端子台本体３０に対して連結固定される。このように、スペーサ４０の下面が端子台本体３０の台座部３１に載置された導電板１０上面に当接する状態で、左右の側壁部３２，３２間に架設されることにより、導電板１０上面と一対の側壁部３２，３２とに囲まれた空間が前方側と後方側とに仕切られる。
【００２５】
シャフト５０は、端子台本体３０の左右幅よりも僅かに長い金属製の軸部材である。頭部５０ａは、端子台本体３０の貫通孔３２ｄ及びスペーサ４０のシャフト挿通孔４０ｂよりも大径である。一方、軸部５０ｂは、貫通孔３２ｄ及びシャフト挿通孔４０ｂよりも小径であって外周面には雄ネジが螺刻されており、ナット５１が螺合される。
【００２６】
記号板６０は、端子ボルト２０を介して導電板１０に接続される電線を識別する記号を表示するための合成樹脂製の細長い長方形板であり、スペーサ４０上面と略同一の平面サイズを有している。記号板６０は、スペーサ４０上面の四隅に設けられた爪状の保持部４０ｂによって固定保持される。
【００２７】
透明カバー７０は、ポリカーボネート等の透明樹脂材料からカバー部材であり、端子台本体１０に略等しい平面サイズを有する全体として略平板状であって、前端及び後端がそれぞれ下側に屈曲する屈曲部７０ａとなっている。透明カバー７０は、前端及び後端の屈曲部７０ａを端子台本体３０の左右の側壁部３２の前後及び後端にそれぞれ設けられた切り欠き部３２ｅに係止させることにより、端子台本体３０上面を覆うように着脱可能に取付けられる。
【００２８】
次に、中継端子台１の組付け手順について説明する。まず、端子台本体３０の台座部３１上面に導電板１０を載置する。次に、スペーサ４０両端の係合凸部４０ａを、端子台本体３０左右両側の側壁部内側面３２ａの被係合凹部３２ｃにそれぞれ係合させることにより、スペーサ４０下面を台座部３１上面に載置された導電板１０上面に当接する状態で左右の側壁部３２，３２間に架設する。そして、シャフト５０を右側の側壁部３２の貫通孔３２ｄからスペーサ４０のシャフト挿通孔４０ｂへ挿入し、左側の側壁部３２の貫通孔３２ｄから突出したシャフト５０の先端にナット５１を嵌めて締付けることにより、スペーサ４０が端子台本体３０に対して連結固定される。
【００２９】
次に、端子ボルト２０の足部を、座金２１の孔へ挿通した状態で導電板１０の一方のネジ孔１０ａへ差し込み、トルクレンチ等のボルト締付け工具を用いて端子ボルト２０を時計回りに回すことにより、端子ボルト２０が導電板１０に螺着される。同様にして、残りの端子ボルト２０を、導電板１０の他方のネジ孔１０ａへ螺着する。
【００３０】
続いて、記号板６０をスペーサ４０上面の保持部４０ｂに嵌め込み固定する。最後に、透明カバー７０を端子台本体３０上面に被せ、前端及び後端の屈曲部７０ａを左右の側壁部３２の前後及び後端上部の切り欠き部３２ｅに係止させて中継端子台１の組付けが完了する。
【００３１】
次に、中継端子台１への電線の接続手順について説明する。まず、透明カバー７０を端子台本体３０から取外す。次に、図示しないボルト締付け工具を用いて２本の端子ボルト２０をそれぞれ反時計回りに回して導電板１０から取り外す。続いて、端子ボルト２０の足部を、座金２１の孔及び入力側の電線Ｃ１先端の圧着端子Ｔ１の孔へ順に挿通し、この状態で導電板１０の一方のネジ孔１０ａへ差し込み、ボルト締付け工具を用いて端子ボルト２０を時計回りに回すことにより導電板１０に螺着されて、入力側の電線Ｃ１が導電板１０の入力側に接続される。同様に、残りの端子ボルト２０を、導電板１０の他方のネジ孔１０ａへ座金２１及び出力側の電線Ｃ２先端の圧着端子Ｔ２を介して他方のネジ孔１０ａへ差し込み、ボルト締付け工具を用いて端子ボルト２０を時計回りに回すことにより導電板１０に螺着されて、出力側の電線Ｃ２が導電板１０の出力側に接続される。最後に、透明カバー７０を端子台本体３０上面に取付けて電線接続作業が完了する。図６は中継端子台１に入力側の電線Ｃ１及び出力側の電線Ｃ２が接続された状態を示す平面図である。
【００３２】
以上詳述したことから明らかなように、本実施形態によれば、端子ボルト２０が螺着される矩形平板状の導電板１０上面を一方側と他方側とに仕切るスペーサ４０が、導電板１０が載置される台座部３１及び台座部３１を挟んで両側に立設された一対の側壁部３２，３２を絶縁性材料により一体的に形成してなる端子台本体３０とは別体で絶縁性材料によりブロック状に形成され、台座部３１に載置された導電板１０の中央部上方で一対の側壁部３２，３２間に架設される構造であるので、端子台本体３０の成型に使用する金型を小型化できると共に、金型のスライド方向が２方向（上下方向）のみとなって成型が容易となる。従って、サイズ規格がＭ１２以上の端子ボルト２０が使用されて４００Ａ以上の電流を流すことが可能な大型の中継端子台を実現することが可能となる。
【００３３】
また、スペーサ４０が一対の側壁部３２，３２間に架設された状態でこれらを貫通する金属製のシャフト５０によって連結されることにより強度の向上が図られる。従って、例えば、圧着端子付き電線の導電板１０への取付け又は取り外しの際に電線が左右に大きく捻られて、端子ボルト２０によって締付けられた圧着端子に大きな衝撃が加わった場合でも、端子台本体３０が安定しており、歪みや割れ等が生じることがない。尚、図７は、中継端子台１に接続された出力側の電線Ｃ２が左右に捻られる様子を示す平面図である。
【００３４】
より具体的には、端子ボルト２０のサイズ規格がＭ１２である場合、２５０ｋｇ以上の締付けトルクで、端子ボルト２０のサイズ規格がＭ１６である場合、４５０〜６００ｋｇの締付けトルクでそれぞれ締付ける必要があるが、このように大きな力により圧着端子に大きな衝撃が加わった場合でも、端子台本体３０が金属製のシャフト５０によってスペーサ４０と連結されることにより安定性が高くなっているため、歪みや割れ等が生じることがない。
【００３５】
また、スペーサ４０の下面が導電板１０の上面に当接する状態で一対の側壁部３２，３２間に架設されるので、導電板１０がスペーサ４０によって台座部３１に対して確実に固定される。
【００３６】
また、スペーサ４０は、両端に係合凸部４０ａがそれぞれ設けられ、一対の側壁部３２，３２は、互いに対向する内側面３２ａにスペーサ４０の各係合凸部４０ａと係合可能な被係合凹部３２ｃがそれぞれ設けられているので、スペーサ４０を一対の側壁部３２，３２に対して容易且つ確実に位置決めして架設することができる。
【００３７】
尚、本発明は上述した実施の形態に限定されるものではなく、本発明の主旨を逸脱しない範囲で種々の変更を施すことが可能であることは云うまでもない。
【図面の簡単な説明】
【００３８】
【図１】本発明の一実施形態の中継端子台を示す斜視図である。
【図２】（ａ）は中継端子台の平面図、（ｂ）は正面図、（ｃ）は右側面図である。
【図３】中継端子台を示す分解斜視図である。
【図４】（ａ）は端子台本体の平面図、（ｂ）は正面図、（ｃ）は右側面図である。
【図５】（ａ）はスペーサの平面図、（ｂ）は正面図、（ｃ）は右側面図である。
【図６】中継端子台に入力側の電線及び出力側の電線が接続された状態を示す平面図である。
【図７】中継端子台に接続された出力側の電線が左右に捻られる様子を示す平面図である。
【図８】従来例の中継端子台を示す分解斜視図である。
【符号の説明】
【００３９】
１    端子台
１０    導電板
２０    端子ボルト（端子ネジ）
３０    端子台本体
３１    台座部
３２    側壁部
３２ｃ  被係合部
４０    スペーサ（隔壁部材）
４０ａ  係合凸部（係合部）
５０    シャフト（連結部材）
【図１】
2008181820.tif 000003
【図２】
2008181820.tif 000004
【図３】
2008181820.tif 000005
【図４】
2008181820.tif 000006
【図５】
2008181820.tif 000007
【図６】
2008181820.tif 000008
【図７】
2008181820.tif 000009
【図８】
2008181820.tif 000010